(57)【要約】  駆動制御システムは、モータと、モータの回転子の外周に回転方向に沿って設けられ、モータの回転方向に第１の極性の磁極と第２の極性の磁極とが交互に複数個配置されて構成された検出用磁石と、モータの固定子に回転子の外周と対向する位置に設けられ、検出用磁石の第１の極性の磁石の磁束を検出すると第１のレベルのパルス信号を出力するとともに検出用磁石の第２の極性の磁極の磁束を検出すると第２のレベルのパルス信号を出力するホール素子と、を含むセンサと、モータの動作を制御するドライバ回路と、センサのホール素子が出力するパルス信号に基づいて、モータの位相を検出するとともに、ドライバ回路を制御してモータを駆動する制御部と、を備える。
2019150440.tif 000002
【特許請求の範囲】
【請求項１】
モータと、
前記モータの回転子の外周に回転方向に沿って設けられ、前記モータの回転方向に第１の極性の磁極と第２の極性の磁極とが交互に複数個配置されて構成された検出用磁石と、前記モータの固定子に設けられ、前記検出用磁石の第１の極性の磁石の磁束を検出すると第１のレベルのパルス信号を出力するとともに前記検出用磁石の第２の極性の磁極の磁束を検出すると第２のレベルのパルス信号を出力するホール素子と、を含むセンサと、
前記モータの動作を制御するドライバ回路と、
前記センサの前記ホール素子が出力する前記パルス信号に基づいて、前記モータの位相を検出するとともに、前記ドライバ回路を制御して前記モータを駆動する制御部と、を備え、    
前記モータの前記回転方向における前記センサの複数の前記第１の極性の磁極の幅は、前記モータの前記回転方向に異なって設定されており、  
前記モータの前記回転方向における前記センサの複数の前記第２の極性の磁極の幅は、同じになるように設定されている
ことを特徴とする駆動制御システム。
【請求項２】
前記モータの前記回転方向における前記センサの複数の前記第１の極性の磁極の幅は、前記モータの前記回転方向に１回転する順番に、大きくなるように異なって設定され若しくは小さくなるように異なって設定されており、
前記モータの前記回転方向において連続する２つの前記第１の極性の磁極の幅の差が、前記モータの前記回転方向に１回転する範囲において、一定の大きさになるように設定されている
ことを特徴とする請求項１に記載の駆動制御システム。
【請求項３】
前記連続する２つの前記第１の極性の磁極の幅の前記差に対応する前記回転子の角度が３°、６°、又は、１２°である
ことを特徴とする請求項２に記載の駆動制御システム。
【請求項４】
前記モータの前記回転方向における複数の前記第２の極性の磁極の幅は、前記連続する２つの前記第１の極性の磁極の幅の前記差よりも、大きい
ことを特徴とする請求項３に記載の駆動制御システム。
【請求項５】
前記モータの前記回転方向における複数の前記第２の極性の磁極の幅は、前記連続する２つの前記第１の極性の磁極の幅の前記差の３倍である
ことを特徴とする請求項４に記載の駆動制御システム。
【請求項６】
前記制御部は、
前記パルス信号が前記第２のレベルとなる第２時間を測定し、測定した前記第２時間と前記第２の極性の磁極の幅に基づいて、前記モータの前記回転子の角速度を算出し、  
前記第２時間を測定した後に、前記パルス信号が前記第１のレベルとなる第１時間を測定し、測定した前記第１時間と算出した前記角速度に基づいて、前記第２時間が測定された第２の極性の磁極に隣接する第１の極性の磁極の幅を推定し、推定した第１の極性の磁極の幅に関連付けられた前記モータの位相を特定することで、前記モータの位相を検出する
ことを特徴とする請求項４に記載の駆動制御システム。
【請求項７】
前記制御部は、
前記パルス信号が前記第２のレベルとなる第２時間を測定した後、前記第１時間を測定し、再度、前記パルス信号が前記第２のレベルとなる第２時間を測定し、測定した２つの前記第２時間の平均値と前記第２の極性の磁極の幅に基づいて、前記モータの前記回転子の角速度を算出する
ことを特徴とする請求項６に記載の駆動制御システム。
【請求項８】
前記第１の極性の磁極の幅と前記モータの位相とを関連付けて記憶する記憶部Ｍをさらに備えることを特徴とする請求項６に記載の駆動制御システム。
【請求項９】
前記制御部は、前記モータの位相の検出時に、前記記憶部から、推定した前記第１の極性の磁極の幅に関連付けられた前記モータの位相を読み出す
ことを特徴とする請求項８に記載の駆動制御システム。
【請求項１０】
前記モータは、前記回転子が内燃機関のクランク軸に接続されるとともに、前記内燃機関にトルクを付与するものであり、
前記制御部は、前記センサの前記ホール素子が出力する前記パルス信号に基づいて、前記内燃機関のクランクの位相を検出する
ことを特徴とする請求項９に記載の駆動制御システム。
【請求項１１】
前記制御部は、前記センサの前記ホール素子が出力する前記パルス信号に基づいて、前記モータが回転している方向を特定する
ことを特徴とする請求項１に記載の駆動制御システム。
【請求項１２】
前記ホール素子は、前記モータの前記回転子の外周に回転方向に沿って複数個設けられていることを特徴とする請求項１に記載の駆動制御システム。
【請求項１３】
前記駆動制御システムは、二輪車に積載され、前記モータは前記二輪車の内燃機関に接続され、前記制御部は、前記ドライバ回路により前記モータを駆動することにより、前記内燃機関を駆動する
ことを特徴とする請求項１０に記載の駆動制御システム。
【請求項１４】
前記モータの前記回転子における、最小の幅の第１の極性の磁極の位置は、内燃機関の上死点のクランク角に対応していることを特徴とする請求項１０に記載の駆動制御システム。
【請求項１５】
前記ホール素子は、前記回転子の前記外周と対向する位置に設けられていることを特徴とする請求項１に記載の駆動制御システム。
【請求項１６】
モータと、前記モータの回転子の外周に回転方向に沿って設けられ、前記モータの回転方向に第１の極性の磁極と第２の極性の磁極とが交互に複数個配置されて構成された検出用磁石と、前記モータの固定子に設けられ、前記検出用磁石の第１の極性の磁石の磁束を検出すると第１のレベルのパルス信号を出力するとともに前記検出用磁石の第２の極性の磁極の磁束を検出すると第２のレベルのパルス信号を出力するホール素子と、を含むセンサと、前記モータの動作を制御するドライバ回路と、制御部と、を備えた駆動制御システムの制御方法であって、
前記制御部により、前記センサの前記ホール素子が出力する前記パルス信号に基づいて、前記モータの位相を検出するとともに、前記ドライバ回路を制御して前記モータを駆動すること、を備え、
前記モータの前記回転方向における前記センサの複数の前記第１の極性の磁極の幅は、前記モータの前記回転方向に異なって設定されており、  
前記モータの前記回転方向における前記センサの複数の前記第２の極性の磁極の幅は、同じになるように設定されている
ことを特徴とする駆動制御システムの制御方法。
【請求項１７】
モータであって、
回転子と、
固定子と、を備え、
センサの検出用磁石が、前記モータの前記回転子の外周に回転方向に沿って設けられ、前記モータの回転方向に第１の極性の磁極と第２の極性の磁極とが交互に複数個配置されて構成され、
前記センサのホール素子が、前記モータの前記固定子に設けられ、
前記ホール素子は、前記検出用磁石の第１の極性の磁石の磁束を検出すると第１のレベルのパルス信号を出力するとともに前記検出用磁石の第２の極性の磁極の磁束を検出すると第２のレベルのパルス信号を出力するものであり
前記モータの前記回転方向における前記センサの複数の前記第１の極性の磁極の幅は、前記モータの前記回転方向に異なって設定されており、  
前記モータの前記回転方向における前記センサの複数の前記第２の極性の磁極の幅は、同じになるように設定されている
ことを特徴とするモータ。
【発明の詳細な説明】
【技術分野】
【０００１】
本発明は、駆動制御システム、モータ、および、駆動制御システムの制御方法に関する発明である。
【背景技術】
【０００２】
従来、直流電源が出力する直流電圧を電力変換した交流電圧をモータに供給して、当該モータを駆動するインバータ回路を備えた駆動制御システムがある（例えば、特開２０１０−２３９７４８号参照）。【０００３】
このような従来の駆動制御システムにおいて、例えば、図５に示すように、モータ１０２Ｐの回転角３６０°に対して基準磁極１０４ａＰを回転子１０２ａＰに設けているものがある。【０００４】
そして、内燃機関のクランクＸの基準位置に対応するＮ極の幅がモータの回転角９０°に対応し、その他のＮ極及びＳ極の幅がモータの回転角３０°に対応する（図５）。そして、固定子１０２ｂＰに設けられたセンサ１０４Ｐのホール素子１０４ｂＰのパルス信号により、モータ１０２Ｐの位相（すなわち、内燃機関のクランクＸの基準位置）を把握し、クランクＸの位置決めを行う（図６）。【０００５】
この従来の方式では、モータ１０２Ｐ（内燃機関のクランク）が３６０°回転することで位置を特定して、モータの位相、すなわちクランク位置（内燃機関のステージ）を決定する（図６）。【０００６】
このように、この従来の方式では、モータ１０２Ｐが３６０°回転しないとモータ１０２Ｐの位相を特定ができない（クランクＸの基準位置を特定できない）ために、モータ１０２Ｐの位相を特定する時間が長くなり、モータ制御の高速化を図ることができない問題がある。
【先行技術文献】
【特許文献】
【０００７】
【特許文献１】特開２０１０−２３９７４８号
【発明の開示】
【発明が解決しようとする課題】
【０００８】
そこで、本発明では、モータの位相を特定する時間を短縮して、モータ制御の高速化を図ることが可能な駆動制御システムを提供することを目的とする。  
【課題を解決するための手段】
【０００９】
本発明の一態様に係る実施形態に従った駆動制御システムは、   
モータと、
前記モータの回転子の外周に回転方向に沿って設けられ、前記モータの回転方向に第１の極性の磁極と第２の極性の磁極とが交互に複数個配置されて構成された検出用磁石と、前記モータの固定子に設けられ、前記検出用磁石の第１の極性の磁石の磁束を検出すると第１のレベルのパルス信号を出力するとともに前記検出用磁石の第２の極性の磁極の磁束を検出すると第２のレベルのパルス信号を出力するホール素子と、を含むセンサと、
前記モータの動作を制御するドライバ回路と、
前記センサの前記ホール素子が出力する前記パルス信号に基づいて、前記モータの位相を検出するとともに、前記ドライバ回路を制御して前記モータを駆動する制御部と、を備え、    
前記モータの前記回転方向における前記センサの複数の前記第１の極性の磁極の幅は、前記モータの前記回転方向に異なって設定されており、  
前記モータの前記回転方向における前記センサの複数の前記第２の極性の磁極の幅は、同じになるように設定されている
ことを特徴とする。【００１０】
前記駆動制御システムにおいて、
前記モータの前記回転方向における前記センサの複数の前記第１の極性の磁極の幅は、前記モータの前記回転方向に１回転する順番に、大きくなるように異なって設定され若しくは小さくなるように異なって設定されており、
前記モータの前記回転方向において連続する２つの前記第１の極性の磁極の幅の差が、前記モータの前記回転方向に１回転する範囲において、一定の大きさになるように設定されている
ことを特徴とする。【００１１】
前記駆動制御システムにおいて、
前記連続する２つの前記第１の極性の磁極の幅の前記差に対応する前記回転子の角度が３°、６°、又は、１２°である
ことを特徴とする。【００１２】
前記駆動制御システムにおいて、
前記モータの前記回転方向における複数の前記第２の極性の磁極の幅は、前記連続する２つの前記第１の極性の磁極の幅の前記差よりも、大きい
ことを特徴とする。【００１３】
前記駆動制御システムにおいて、
前記モータの前記回転方向における複数の前記第２の極性の磁極の幅は、前記連続する２つの前記第１の極性の磁極の幅の前記差の３倍である
ことを特徴とする。【００１４】
前記駆動制御システムにおいて、
前記制御部は、
前記パルス信号が前記第２のレベルとなる第２時間を測定し、測定した前記第２時間と前記第２の極性の磁極の幅に基づいて、前記モータの前記回転子の角速度を算出し、  
前記第２時間を測定した後に、前記パルス信号が前記第１のレベルとなる第１時間を測定し、測定した前記第１時間と算出した前記角速度に基づいて、前記第２時間が測定された第２の極性の磁極に隣接する第１の極性の磁極の幅を推定し、推定した第１の極性の磁極の幅に関連付けられた前記モータの位相を特定することで、前記モータの位相を検出する
ことを特徴とする。【００１５】
前記駆動制御システムにおいて、
前記制御部は、
前記パルス信号が前記第２のレベルとなる第２時間を測定した後、前記第１時間を測定し、再度、前記パルス信号が前記第２のレベルとなる第２時間を測定し、測定した２つの前記第２時間の平均値と前記第２の極性の磁極の幅に基づいて、前記モータの前記回転子の角速度を算出する
ことを特徴とする。【００１６】
前記駆動制御システムにおいて、
前記第１の極性の磁極の幅と前記モータの位相とを関連付けて記憶する記憶部Ｍをさらに備えることを特徴とする。【００１７】
前記駆動制御システムにおいて、
前記制御部は、前記モータの位相の検出時に、前記記憶部から、推定した前記第１の極性の磁極の幅に関連付けられた前記モータの位相を読み出す
ことを特徴とする。【００１８】
前記駆動制御システムにおいて、
前記モータは、前記回転子が内燃機関のクランク軸に接続されるとともに、前記内燃機関にトルクを付与するものであり、
前記制御部は、前記センサの前記ホール素子が出力する前記パルス信号に基づいて、前記内燃機関のクランクの位相を検出する
ことを特徴とする。【００１９】
前記駆動制御システムにおいて、
前記制御部は、前記センサの前記ホール素子が出力する前記パルス信号に基づいて、前記モータが回転している方向を特定する
ことを特徴とする。【００２０】
前記駆動制御システムにおいて、
前記ホール素子は、前記モータの前記回転子の外周に回転方向に沿って複数個設けられていることを特徴とする。【００２１】
前記駆動制御システムにおいて、
前記駆動制御システムは、二輪車に積載され、前記モータは前記二輪車の内燃機関に接続され、前記制御部は、前記ドライバ回路により前記モータを駆動することにより、前記内燃機関を駆動する
ことを特徴とする。【００２２】
前記駆動制御システムにおいて、
前記モータの前記回転子における、最小の幅の第１の極性の磁極の位置は、内燃機関の上死点のクランク角に対応していることを特徴とする。【００２３】
前記駆動制御システムにおいて、前記ホール素子は、前記回転子の前記外周と対向する位置に設けられていることを特徴とする。【００２４】
本発明の一態様に係る実施形態に従った駆動制御システムの制御方法は、
モータと、前記モータの回転子の外周に回転方向に沿って設けられ、前記モータの回転方向に第１の極性の磁極と第２の極性の磁極とが交互に複数個配置されて構成された検出用磁石と、前記モータの固定子に設けられ、前記検出用磁石の第１の極性の磁石の磁束を検出すると第１のレベルのパルス信号を出力するとともに前記検出用磁石の第２の極性の磁極の磁束を検出すると第２のレベルのパルス信号を出力するホール素子と、を含むセンサと、前記モータの動作を制御するドライバ回路と、制御部と、を備えた駆動制御システムの制御方法であって、
前記制御部により、前記センサの前記ホール素子が出力する前記パルス信号に基づいて、前記モータの位相を検出するとともに、前記ドライバ回路を制御して前記モータを駆動すること、を備え、
前記モータの前記回転方向における前記センサの複数の前記第１の極性の磁極の幅は、前記モータの前記回転方向に異なって設定されており、  
前記モータの前記回転方向における前記センサの複数の前記第２の極性の磁極の幅は、同じになるように設定されている
ことを特徴とする。【００２５】
本発明の一態様に係る実施形態に従ったモータは、
モータであって、
回転子と、
固定子と、を備え、
センサの検出用磁石が、前記モータの前記回転子の外周に回転方向に沿って設けられ、前記モータの回転方向に第１の極性の磁極と第２の極性の磁極とが交互に複数個配置されて構成され、
前記センサのホール素子が、前記モータの前記固定子にに設けられ、
前記ホール素子は、前記検出用磁石の第１の極性の磁石の磁束を検出すると第１のレベルのパルス信号を出力するとともに前記検出用磁石の第２の極性の磁極の磁束を検出すると第２のレベルのパルス信号を出力するものであり
前記モータの前記回転方向における前記センサの複数の前記第１の極性の磁極の幅は、前記モータの前記回転方向に異なって設定されており、  
前記モータの前記回転方向における前記センサの複数の前記第２の極性の磁極の幅は、同じになるように設定されている
ことを特徴とする。
【発明の効果】
【００２６】
本発明の一態様に係る駆動制御システムは、モータと、モータの回転子の外周に回転方向に沿って設けられ、モータの回転方向に第１の極性（例えば、Ｎ極）の磁極と第２の極性（例えば、Ｓ極）の磁極とが交互に複数個配置されて構成された検出用磁石と、モータの固定子に回転子の外周と対向する位置に設けられ、検出用磁石の第１の極性の磁石の磁束を検出すると第１のレベル（例えば、“Ｈｉｇｈ”レベル）のパルス信号を出力するとともに検出用磁石の第２の極性の磁極の磁束を検出すると第２のレベル（例えば、“Ｌｏｗ”レベル）のパルス信号を出力するホール素子と、を含むセンサと、モータの動作を制御するドライバ回路と、センサのホール素子が出力するパルス信号に基づいて、モータの位相を検出するとともに、ドライバ回路を制御してモータを駆動する制御部と、を備える。【００２７】
そして、モータの回転方向におけるセンサの複数の第１の極性の磁極の幅は、モータの回転方向に（順回転方向及び逆回転方向を含む方向）に異なって設定されており、モータの回転方向におけるセンサの複数の第２の極性の磁極の幅は、同じになるように設定されている。【００２８】
このように、本発明の駆動制御システムでは、センサの複数の第１の極性の磁極の幅が異なって（不均一に）設定されており、複数の第２の極性の磁極の幅は、同じになるように設定されていることから、センサのホール素子が出力するパルス信号に基づいて、モータが３６０°回転する前に、モータの位相が特定されることとなる。【００２９】
すなわち、本発明の駆動制御システムによれば、モータの位相を特定する時間を短縮して、モータ制御の高速化を図ることができる。
【図面の簡単な説明】
【００３０】
【図１】図１は、実施例１に係る駆動制御システム１０００の構成の一例を示す図である。
【図２】図２は、図１に示すモータ１０２及びセンサ１０４の概略構成の一例を示す図である。
【図３】図３は、図１、図２に示すセンサ１０４が出力するパルス信号と、内燃機関１０３のクランク角（モータ１０２の回転角）との関係の一例を示す図である。
【図４】図４は、図１、図２に示すセンサ１０４が出力するパルス信号と、内燃機関１０３のクランク角（モータ１０２の回転角）との関係の他の例を示す図である。
【図５】図５は、従来の駆動制御システムのモータ及びセンサの概略構成の一例を示す図である。
【図６】図６は、図５に示すセンサが出力するパルス信号と、内燃機関のクランク角（モータの回転角）との関係の一例を示す図である。
【発明を実施するための最良の形態】
【００３１】
以下、本発明に係る実施形態について図面に基づいて説明する。
【実施例１】
【００３２】
図１は、実施例１に係る駆動制御システム１０００の構成の一例を示す図である。また、図２は、図１に示すモータ１０２及びセンサ１０４の概略構成の一例を示す図である。また、図３は、図１、図２に示すセンサ１０４が出力するパルス信号と、内燃機関１０３のクランク角（モータ１０２の回転角）との関係の一例を示す図である。【００３３】
本実施例１に係る内燃機関の駆動を制御する駆動制御システム１０００は、例えば、図１、図２に示すように、駆動制御装置（ＥＣＵ：Ｅｎｇｉｎｅ  Ｃｏｎｔｒｏｌ  Ｕｎｉｔ）１００と、バッテリＢと、モータ１０２と、エンジン（内燃機関）１０３と、センサ１０４と、を備える。なお、図１の例では、モータ１０２とセンサ１０４とが別々の構成として表記されているが、モータ１０２とセンサ１０４とが一体になっている形態も想定される。【００３４】
この駆動制御システム１０００は、例えば、二輪車（図示せず）に積載される。この場合、モータ１０２は当該二輪車の内燃機関１０３に接続される。【００３５】
内燃機関１０３は、ここでは、例えば、４ストロークエンジンである。したがって、内燃機関１０３の状態は、吸気行程、圧縮行程、燃焼行程、および、排気行程を遷移するようになっている。【００３６】
また、図１に示すように、バッテリＢは、モータ１０２に駆動電力を供給し、または、モータ１０２による回生電力を充電するようになっている。【００３７】
そして、モータ１０２は、回転子１０２ａが内燃機関のクランク軸Ｘに接続されるとともに、内燃機関１０３（すなわち、内燃機関１０３のクランク）にトルクを付与するようになっている。【００３８】
ここでは、モータ１０２は、内燃機関１０３のクランク軸Ｘにトルクを授受可能に連結されている。すなわち、このモータ１０２は、電動機と発電機の両方の機能を併せ持つ。このように、モータ１０２は、内燃機関１０３により駆動されて発電し、交流電圧を出力する交流発電機（ＡＣＧ）としても機能するようになっている。【００３９】
このモータ１０２は、例えば、図２に示すように、固定子１０２ｂと、この固定子１０２ｂに設けられたＵ相コイル、Ｖ相コイル、及びＷ相コイル（図示せず）と、内燃機関１０３のクランク軸Ｘが接続された回転子１０２ａと、を含む。【００４０】
また、センサ１０４は、例えば、内燃機関１０３の回転速度（ｒｐｍ）およびクランク角（例えば、回転角度の変化、上死点）を検出し、この検出結果に応じた信号を出力するようになっている。【００４１】
このセンサ１０４は、例えば、図２に示すように、検出用磁石１０４ａと、ホール素子１０４ｂと、を含む。【００４２】
そして、検出用磁石１０４ａは、モータ１０２の回転子１０２ａの外周に回転方向Ｒに沿って設けられている。【００４３】
この検出用磁石１０４ａは、モータ１０２の回転方向Ｒに第１の極性（図２の例では、例えば、Ｎ極）の磁極Ｇ１と第２の極性（図２の例では、例えば、Ｓ極）の磁極Ｇ２とが交互に複数個配置されて構成されている。【００４４】
また、ホール素子１０４ｂは、モータ１０２の固定子１０２ｂに回転子１０２ａの外周と対向する位置（例えば、固定子１０２ｂの内周）に設けられている。【００４５】
そして、例えば、このホール素子１０４ｂは、検出用磁石１０４ａの第１の極性Ｇ１の磁石の磁束を検出すると第１のレベル（例えば、“Ｈｉｇｈ”レベル）のパルス信号を出力するようになっている。【００４６】
一方、このホール素子１０４ｂは、検出用磁石１０４ａの第２の極性Ｇ２の磁極Ｇの磁束を検出すると第２のレベル（例えば、“Ｌｏｗ”レベル）のパルス信号を出力するようになっている。【００４７】
なお、ホール素子１０４ｂは、図２の例では１個であるが、モータ１０２の回転子１０２ａの外周に回転方向Ｒに沿って複数個設けられているようにしてもよい。これにより、検出用磁石１０４ａの磁束の検出の精度を向上することができる。【００４８】
ここで、例えば、図２に示すように、モータ１０２の回転方向Ｒにおけるセンサ１０４の複数の第１の極性（Ｎ極）の磁極Ｇ１の幅（長さ）は、モータ１０２の回転方向Ｒ（順回転方向及び逆回転方向を含む方向）に異なって設定されている。【００４９】
この図２の例では、モータ１０２の回転方向Ｒにおけるセンサ１０４の複数の第１の極性の磁極Ｇ１の幅は、モータ１０２の回転方向Ｒに１回転する順番に、大きくなるように異なって設定されている。【００５０】
特に、図２の例では、最小の第１の極性の磁極Ｇ１の幅（長さ）は、モータ１０２の回転角１２°に対応している。そして、この第１の極性の磁極Ｇ１の幅は、モータ１０２の回転方向Ｒに１回転する順番に、モータ１０２の回転角１２°に対応する幅の単位で、大きくなるように設定されている。そして、最大の第１の極性の磁極Ｇ１の幅は、モータ１０２の回転角１２°×５＝６０°に対応している。【００５１】
また、この図２の例では、モータ１０２の回転方向Ｒにおけるセンサ１０４の複数の第２の極性の磁極（Ｓ極）Ｇ２の幅（長さ）は、同じ（モータ１０２の回転角１２°×３＝３６°）になるように設定されている。【００５２】
なお、モータ１０２の回転子１０２ａにおける、既述の最小の幅の第１の極性の磁極Ｇ１の位置は、例えば、内燃機関の上死点のクランク角（モータの位相）に対応している。【００５３】
なお、モータ１０２の回転方向Ｒと直交する方向における、センサ１０４の複数の第１の極性の磁極（Ｎ極）Ｇ１及び第２の磁極（Ｓ極）Ｇ２の大きさは、例えば、同じになっている。【００５４】
また、モータ１０２の回転方向Ｒにおいて連続する２つの第１の極性の磁極Ｇ１の幅の差が、モータ１０２の回転方向Ｒに１回転する範囲において、一定の大きさになるように設定されている。【００５５】
特に、図２に示す例では、連続する２つの第１の極性の磁極Ｇ１の幅の既述の差（例えば、モータ１０２の回転角４８°に対応する幅−回転角３６°に対応する幅）に対応する回転子１０２ａの角度が、例えば、１２°（モータ１０２の回転角１２°に対応）である。しかしながら、連続する２つの第１の極性の磁極Ｇ１の幅の既述の差に対応する回転子１０２ａの角度が、３°又は６°（モータ１０２の回転角３°又は６°に対応）であってもよい。【００５６】
また、例えば、図２に示すように、モータ１０２の回転方向Ｒにおける複数の第２の極性の磁極Ｇ２の幅（図２の例では、モータ１０２の回転角３６°に対応）は、連続する２つの第１の極性の磁極Ｇ１の幅の既述の差（図２の例では、モータ１０２の回転角１２°に対応）よりも、大きくなるように設定されている。【００５７】
また、例えば、図２に示すように、モータ１０２の回転方向Ｒにおける複数の第２の極性の磁極Ｇの幅（図２の例では、モータ１０２の回転角３６°に対応）は、例えば、連続する２つの第１の極性の磁極Ｇ１の幅の既述の差（図２の例では、モータ１０２の回転角１２°に対応）の３倍である。【００５８】
なお、図２の例では、第１の磁極Ｇ１をＮ極とし、第２の磁極Ｇ２をＳ極としているが、第１の磁極Ｇ１をＳ極とし、第２の磁極Ｇ２をＮ極としてもよい。【００５９】
なお、モータ１０２の回転方向Ｒにおけるセンサ１０４の複数の第１の極性の磁極（Ｎ極）Ｇ１の幅は、モータ１０２の回転方向Ｒに１回転する順番に、小さくなるように異なって設定されていてもよい。【００６０】
ここで、駆動制御装置１００は、例えば、図１に示すように、センサ１０４が出力する信号（すなわち、当該信号から得られるモータ１０２の回転速度および位相（クランク角、例えば、回転角度の変化、上死点））に基づいて、モータ１０２及び内燃機関１０３の駆動を制御するようになっている。【００６１】
この駆動制御装置１００は、例えば、図1に示すように、制御部（ＣＰＵ：Ｃｅｎｔｒａｌ  Ｐｒｏｃｅｓｓｉｎｇ  Ｕｎｉｔ）ＣＯＮと、記憶部Ｍと、ドライバ回路Ｄと、を有する。【００６２】
そして、ドライバ回路Ｄは、内燃機関１０３にトルクを付与するモータ１０２の動作を制御するようになっている。【００６３】
また、記憶部Ｍは、内燃機関１０３の始動等を制御するため（モータ１０２を制御するための）のマップを記憶するようになっている。【００６４】
特に、記憶部Ｍは、複数の第１の極性の磁極Ｇ１のそれぞれの幅とモータ１０２の位相とを関連付けて記憶するようになっている。【００６５】
ここで、既述のように、モータ１０２の回転方向Ｒにおけるセンサ１０４の複数の第１の極性（Ｎ極）の磁極Ｇ１の幅は、モータ１０２の回転方向Ｒ（順回転方向及び逆回転方向を含む方向）に異なって設定されている。このため、複数の第１の極性の磁極Ｇ１の異なる幅と、それぞれ異なるモータ１０２の位相とを、一対一に対応するように設定して、記憶部Ｍに記憶することができる。【００６６】
また、制御部ＣＯＮは、電源が投入された後、内燃機関１０３の始動（点火制御）前に、センサ１０４のホール素子１０４ｂが出力するパルス信号に基づいて、モータ１０２の位相（内燃機関のクランクの位相（クランク角））を検出するようになっている。さらに、制御部ＣＯＮは、センサ１０４のホール素子１０４ｂが出力する当該パルス信号に基づいて、モータ１０２が回転している方向を特定するようになっている。【００６７】
そして、制御部ＣＯＮは、記憶部Ｍを参照し、センサ１０４を用いて検出した内燃機関１０３の回転速度およびクランク角（例えば、回転角度の変化、上死点）に基づいて、ドライバ回路Ｄを制御してモータ１０２を駆動することにより、内燃機関１０３を起動するとともに、内燃機関１０３を駆動するようになっている。【００６８】
このように、制御部ＣＯＮは、電源が投入された後、内燃機関１０３の始動（点火制御）前に、モータ１０２を回転させて、センサ１０４のホール素子１０４ｂが出力するパルス信号に基づいて、モータ１０２の位相（内燃機関のクランクの位相（クランク角））を検出して、この検出結果に基づいて、モータ１０２を駆動しつつ、内燃機関１０３を駆動するようになっている。【００６９】
ここで、制御部ＣＯＮは、例えば、センサ１０４のホール素子１０４ｂが出力するパルス信号が第２のレベル（“Ｌｏｗ”レベル）となる第２時間（ｔｌ）を測定するようになっている（図３）。【００７０】
そして、制御部ＣＯＮは、測定した第２時間（ｔｌ）と第２の極性の磁極Ｇ２の幅に基づいて、モータ１０２の回転子１０２ａの角速度を算出するようになっている。【００７１】
なお、第２の極性の磁極Ｇ２の幅は、既述のように固定された（一定の）既知の値であるので、この既知の幅の値を測定した第２時間（ｔｌ）で除算することで、モータ１０２の回転子１０２ａの角速度を算出することができる。【００７２】
そして、制御部ＣＯＮは、当該第２時間（ｔｌ）を測定した後に、パルス信号が第１のレベル（“Ｈｉｇｈ”レベル）となる第１時間（ｔｈ）を測定するようになっている（図３）。【００７３】
そして、制御部ＣＯＮは、測定した第１時間（ｔｈ）と算出した角速度に基づいて、当該第２時間が測定された第２の極性の磁極Ｇ２に隣接する第１の極性の磁極Ｇ１の幅を推定するようになっている。【００７４】
なお、測定した第１時間（ｔｈ）と算出した当該角速度とを乗算することで、当該第１の極性の磁極Ｇ１の幅が算出（推定）される。【００７５】
そして、制御部ＣＯＮは、モータ１０２の位相の検出時に、記憶部Ｍから、推定した第１の極性の磁極Ｇの幅に関連付けられたモータ１０２の位相を読み出すようになっている。【００７６】
そして、制御部ＣＯＮは、推定した第１の極性の磁極Ｇの幅に関連付けられたモータ１０２の位相を特定することで、モータ１０２の位相を検出するようになっている。【００７７】
ここで、既述のように、モータ１０２の回転方向Ｒにおけるセンサ１０４の複数の第１の極性（Ｎ極）の磁極Ｇ１の幅は、モータ１０２の回転方向Ｒに異なって設定されている。さらに、モータ１０２の回転方向Ｒにおけるセンサ１０４の複数の第２の極性の磁極（Ｓ極）Ｇ２の幅（長さ）は、同じになるように設定されている。【００７８】
これにより、センサ１０４のホール素子が出力するパルス信号に基づいて、モータ１０２が３６０°回転する前に、モータ１０２の位相が特定されることとなる。【００７９】
さらに、既述のように、モータ１０２の回転方向Ｒにおける複数の第２の極性の磁極Ｇ２の幅（図２の例では、モータ１０２の回転角３６°に対応）は、連続する２つの第１の極性の磁極Ｇ１の幅の既述の差（図２の例では、モータ１０２の回転角１２°に対応）よりも、大きくなるように設定されている。【００８０】
これにより、制御部ＣＯＮは、より確実にパルス信号のレベルの変化を検出して、モータ１０２の位相の推定を実行することができる。【００８１】
以上のように、本実施例１に係る駆動制御システム１０００によれば、センサ１０４の複数の第１の極性の磁極Ｇの幅が全て異なって（不均一に）設定されており、複数の第２の極性の磁極Ｇの幅は、全て同じになるように設定されていることから、センサ１０４のホール素子が出力するパルス信号に基づいて、モータ１０２が３６０°回転する前に、モータ１０２の位相が特定されることとなる。【００８２】
すなわち、本実施例１に係る駆動制御システム１０００によれば、モータ１０２の位相を特定する時間を短縮して、モータ制御の高速化を図ることができる。【００８３】
次に、以上のような構成を有する駆動制御システム１０００の制御方法の一例について説明する。ここでは、特に、図３を参照して、制御部ＣＯＮが、センサ１０４が出力するパルス信号に基づいて、演算して、モータ１０２の位相を検出（推定）する動作について説明する。【００８４】
先ず、制御部ＣＯＮは、例えば、駆動制御システム１０００に電源が投入された後、内燃機関１０３の始動（点火制御）前に、ドライバ回路Ｄを制御して、モータ１０２を回転させる。【００８５】
そして、図３に示すように、制御部ＣＯＮは、例えば、センサ１０４のホール素子１０４ｂが出力するパルス信号が第２のレベル（“Ｌｏｗ”レベル）となる（パルス（３）の後の）第２時間（ｔｌ）を測定する。【００８６】
そして、制御部ＣＯＮは、測定した第２時間（ｔｌ）と第２の極性の磁極Ｇ２の幅に基づいて、モータ１０２の回転子１０２ａの角速度を算出する。【００８７】
なお、第２の極性の磁極Ｇ２の幅は、既述のように固定された（一定の）既知の値であるので、この既知の幅の値を測定した第２時間（ｔｌ）で除算することで、モータ１０２の回転子１０２ａの角速度を算出することができる。【００８８】
そして、制御部ＣＯＮは、当該第２時間（ｔｌ）を測定した後に、パルス信号が第１のレベル（“Ｈｉｇｈ”レベル）となる（パルス（４）の）第１時間（ｔｈ）を測定する。【００８９】
そして、制御部ＣＯＮは、測定した第１時間（ｔｈ）と算出した角速度に基づいて、当該第２時間が測定された第２の極性の磁極Ｇ２に隣接する第１の極性の磁極Ｇ１の幅を推定する。【００９０】
なお、パルス（４）の幅に対応する測定した第１時間（ｔｈ）と、算出した当該角速度とを乗算することで、当該第１の極性の磁極Ｇ１の幅が算出（推定）される。【００９１】
そして、制御部ＣＯＮは、モータ１０２の位相の検出時に、記憶部Ｍから、推定した第１の極性の磁極Ｇの幅に関連付けられたモータ１０２の位相を読み出す。【００９２】
そして、制御部ＣＯＮは、推定した第１の極性の磁極Ｇの幅に関連付けられたモータ１０２の位相を特定することで、モータ１０２の位相を検出する。【００９３】
ここで、既述のように、モータ１０２の回転方向Ｒにおけるセンサ１０４の複数の第１の極性（Ｎ極）の磁極Ｇ１の幅は、モータ１０２の回転方向Ｒに異なって設定されている。さらに、モータ１０２の回転方向Ｒにおけるセンサ１０４の複数の第２の極性の磁極（Ｓ極）Ｇ２の幅（長さ）は、同じになるように設定されている。【００９４】
これにより、センサ１０４のホール素子が出力するパルス信号に基づいて、モータ１０２が３６０°回転する前に、モータ１０２の位相が特定されることとなる。【００９５】
さらに、既述のように、モータ１０２の回転方向Ｒにおける複数の第２の極性の磁極Ｇ２の幅（図２の例では、モータ１０２の回転角３６°に対応）は、連続する２つの第１の極性の磁極Ｇ１の幅の既述の差（図２の例では、モータ１０２の回転角１２°に対応）よりも、大きくなるように設定されている。【００９６】
これにより、制御部ＣＯＮは、より確実にパルス信号のレベルの変化を検出して、モータ１０２の位相の推定を実行することができる。【００９７】
なお、図３の例では、最大位置決め回転角は、パルス（３）の幅、その後の“Ｌｏｗ”レベルの期間、及びパルス（４）の幅となり、モータ１０２を３６０°回転する前に、モータ１０２の位相を特定することができる。【００９８】
さらに、図３に示すように、モータの回転角は内燃機関１０３のクランク角と対応しており、モータの位相を特定することで、内燃機関のステージ（各工程）を特定することができる。【００９９】
これにより、制御部ＣＯＮは、記憶部Ｍを参照し、センサ１０４を用いて検出した内燃機関１０３の回転速度およびクランク角（例えば、回転角度の変化、上死点）に基づいて、ドライバ回路Ｄを制御してモータ１０２を駆動することにより、内燃機関１０３を起動するとともに、内燃機関１０３を駆動することができる。【０１００】
このように、本実施例１に係る駆動制御システム１０００の制御方法によれば、センサ１０４の複数の第１の極性の磁極Ｇの幅が異なって（不均一に）設定されており、複数の第２の極性の磁極Ｇの幅は、同じになるように設定されていることから、センサ１０４のホール素子が出力するパルス信号に基づいて、モータ１０２が３６０°回転する前に、モータ１０２の位相が特定されることとなる。【０１０１】
すなわち、本実施例１に係る駆動制御システム１０００の制御方法によれば、モータ１０２の位相を特定する時間を短縮して、モータ制御の高速化を図ることができる。
【実施例２】
【０１０２】
本実施例２では、駆動制御システム１０００の制御方法の他の例について説明する。【０１０３】
ここで、図４は、図１、図２に示すセンサ１０４が出力するパルス信号と、内燃機関１０３のクランク角（モータ１０２の回転角）との関係の他の例を示す図である。【０１０４】
ここでは、特に、図４を参照して、制御部ＣＯＮが、センサ１０４が出力するパルス信号に基づいて、演算して、モータ１０２の位相を検出（推定）する動作について説明する。【０１０５】
先ず、制御部ＣＯＮは、例えば、駆動制御システム１０００に電源が投入された後、内燃機関１０３の始動（点火制御）前に、ドライバ回路Ｄを制御して、モータ１０２を回転させる。【０１０６】
そして、図４に示すように、制御部ＣＯＮは、例えば、センサ１０４のホール素子１０４ｂが出力するパルス信号が第２のレベル（“Ｌｏｗ”レベル）となる（パルス（２）の後の）第２時間（ｔｌ１）を測定する。【０１０７】
そして、制御部ＣＯＮは、当該第２時間（ｔｌ１）を測定した後に、パルス信号が第１のレベル（“Ｈｉｇｈ”レベル）となる（パルス（３）の）第１時間（ｔｈ）を測定する。【０１０８】
そして、制御部ＣＯＮは、センサ１０４のホール素子１０４ｂが出力するパルス信号が第２のレベル（“Ｌｏｗ”レベル）となる第２時間（ｔｌ１）を測定した後、第１時間（ｔｈ）を測定し、再度、当該パルス信号が第２のレベル（“Ｌｏｗ”レベル）となる第２時間（ｔｌ２）を測定する。【０１０９】
そして、制御部ＣＯＮは、測定した２つの当該第２時間（ｔｌ１）、（ｔｌ２）の平均値と第２の極性の磁極Ｇの幅に基づいて、モータ１０２の回転子１０２ａの角速度を算出するようになっている。【０１１０】
なお、第２の極性の磁極Ｇ２の幅は、既述のように固定された（一定の）既知の値であるので、この既知の幅の値を測定した２つの当該第２時間（ｔｌ１）、（ｔｌ２）の平均値で除算することで、モータ１０２の回転子１０２ａの角速度を算出することができる。【０１１１】
そして、制御部ＣＯＮは、測定した第１時間（ｔｈ）と算出した角速度に基づいて、当該第２時間が測定された第２の極性の磁極Ｇ２に隣接する第１の極性の磁極Ｇ１の幅を推定する。【０１１２】
なお、パルス（４）の幅に対応する測定した第１時間（ｔｈ）と算出した当該角速度とを乗算することで、当該第１の極性の磁極Ｇ１の幅が算出（推定）される。【０１１３】
そして、制御部ＣＯＮは、モータ１０２の位相の検出時に、記憶部Ｍから、推定した第１の極性の磁極Ｇの幅に関連付けられたモータ１０２の位相を読み出す。【０１１４】
そして、制御部ＣＯＮは、推定した第１の極性の磁極Ｇの幅に関連付けられたモータ１０２の位相を特定することで、モータ１０２の位相を検出する。【０１１５】
なお、図４の例では、最大位置決め回転角は、パルス（３）の幅、その後の“Ｌｏｗ”レベルの期間、及びパルス（４）の幅、その後の“Ｌｏｗ”レベルの期間となり、モータ１０２を３６０°回転する前に、モータ１０２の位相を特定することができる。【０１１６】
そして、図４に示すように、モータの回転角は内燃機関１０３のクランク角と対応しており、モータの位相を特定することで、内燃機関のステージ（各工程）を特定することができる。【０１１７】
なお、実施例２のその他の構成及び機能は、実施例１と同様である。【０１１８】
すなわち、本実施例３に係る駆動制御システム１０００の制御方法によれば、実施例１と同様に、モータ１０２の位相を特定する時間を短縮して、モータ制御の高速化を図ることができる。【０１１９】
以上のように、本発明の一態様に係る駆動制御システムは、モータ１０２と、モータの回転子の外周に回転方向に沿って設けられ、モータの回転方向に第１の極性（例えば、Ｎ極）の磁極と第２の極性（例えば、Ｓ極）の磁極とが交互に複数個配置されて構成された検出用磁石と、モータの固定子に回転子の外周と対向する位置に設けられ、検出用磁石の第１の極性の磁石の磁束を検出すると第１のレベル（例えば、“Ｈｉｇｈ”レベル）のパルス信号を出力するとともに検出用磁石の第２の極性の磁極の磁束を検出すると第２のレベル（例えば、“Ｌｏｗ”レベル）のパルス信号を出力するホール素子と、を含むセンサ１０４と、モータの動作を制御するドライバ回路Ｄと、センサのホール素子が出力するパルス信号に基づいて、モータの位相を検出するとともに、ドライバ回路を制御してモータを駆動する制御部ＣＯＮと、を備える。【０１２０】
そして、モータの回転方向におけるセンサの複数の第１の極性の磁極の幅は、モータの回転方向に（順回転方向及び逆回転方向を含む方向）に異なって設定されており、モータの回転方向におけるセンサの複数の第２の極性の磁極の幅は、同じになるように設定されている。【０１２１】
このように、本発明の駆動制御システムでは、センサの複数の第１の極性の磁極の幅が異なって（不均一に）設定されており、複数の第２の極性の磁極の幅は、同じになるように設定されていることから、センサのホール素子が出力するパルス信号に基づいて、モータが３６０°回転する前に、モータの位相が特定されることとなる。【０１２２】
すなわち、本発明の駆動制御システムによれば、モータの位相を特定する時間を短縮して、モータ制御の高速化を図ることができる。【０１２３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２４】
１０００  駆動制御システム
１００  駆動制御装置
Ｂ  バッテリ
１０２  モータ
１０３  エンジン（内燃機関）
１０４  センサ
ＣＯＮ  制御部
Ｍ  記憶部
Ｄ  ドライバ回路
【図１】
2019150440.tif 000003
【図２】
2019150440.tif 000004
【図３】
2019150440.tif 000005
【図４】
2019150440.tif 000006
【図５】
2019150440.tif 000007
【図６】
2019150440.tif 000008
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
モータと、
前記モータの回転子の外周に回転方向に沿って設けられ、前記モータの回転方向に第１の極性の磁極と第２の極性の磁極とが交互に複数個配置されて構成された検出用磁石と、前記モータの固定子に設けられ、前記検出用磁石の第１の極性の磁石の磁束を検出すると第１のレベルのパルス信号を出力するとともに前記検出用磁石の第２の極性の磁極の磁束を検出すると第２のレベルのパルス信号を出力するホール素子と、を含むセンサと、
前記モータの動作を制御するドライバ回路と、
前記センサの前記ホール素子が出力する前記パルス信号に基づいて、前記モータの位相を検出するとともに、前記ドライバ回路を制御して前記モータを駆動する制御部と、を備え、
前記モータの前記回転方向における前記センサの複数の前記第１の極性の磁極の幅は、前記モータの前記回転方向に異なって設定されており、
前記モータの前記回転方向における前記センサの複数の前記第２の極性の磁極の幅は、同じになるように設定されており、
前記モータの前記回転方向における前記センサの複数の前記第１の極性の磁極の幅は、前記モータの前記回転方向に１回転する順番に、大きくなるように異なって設定され若しくは小さくなるように異なって設定されており、
前記モータの前記回転方向において連続する２つの前記第１の極性の磁極の幅の差が、前記モータの前記回転方向に１回転する範囲において、一定の大きさになるように設定されている
ことを特徴とする駆動制御システム。
【請求項２】
前記連続する２つの前記第１の極性の磁極の幅の前記差に対応する前記回転子の角度が３°、６°、又は、１２°である
ことを特徴とする請求項１に記載の駆動制御システム。
【請求項３】
前記モータの前記回転方向における複数の前記第２の極性の磁極の幅は、前記連続する２つの前記第１の極性の磁極の幅の前記差よりも、大きい
ことを特徴とする請求項２に記載の駆動制御システム。
【請求項４】
前記モータの前記回転方向における複数の前記第２の極性の磁極の幅は、前記連続する２つの前記第１の極性の磁極の幅の前記差の３倍である
ことを特徴とする請求項３に記載の駆動制御システム。
【請求項５】
前記制御部は、
前記パルス信号が前記第２のレベルとなる第２時間を測定し、測定した前記第２時間と前記第２の極性の磁極の幅に基づいて、前記モータの前記回転子の角速度を算出し、  
前記第２時間を測定した後に、前記パルス信号が前記第１のレベルとなる第１時間を測定し、測定した前記第１時間と算出した前記角速度に基づいて、前記第２時間が測定された第２の極性の磁極に隣接する第１の極性の磁極の幅を推定し、推定した第１の極性の磁極の幅に関連付けられた前記モータの位相を特定することで、前記モータの位相を検出する
ことを特徴とする請求項３に記載の駆動制御システム。
【請求項６】
前記制御部は、
前記パルス信号が前記第２のレベルとなる第２時間を測定した後、前記第１時間を測定し、再度、前記パルス信号が前記第２のレベルとなる第２時間を測定し、測定した２つの前記第２時間の平均値と前記第２の極性の磁極の幅に基づいて、前記モータの前記回転子の角速度を算出する
ことを特徴とする請求項５に記載の駆動制御システム。
【請求項７】
前記第１の極性の磁極の幅と前記モータの位相とを関連付けて記憶する記憶部Ｍをさらに備えることを特徴とする請求項５に記載の駆動制御システム。
【請求項８】
前記制御部は、前記モータの位相の検出時に、前記記憶部から、推定した前記第１の極性の磁極の幅に関連付けられた前記モータの位相を読み出す
ことを特徴とする請求項７に記載の駆動制御システム。
【請求項９】
前記モータは、前記回転子が内燃機関のクランク軸に接続されるとともに、前記内燃機関にトルクを付与するものであり、
前記制御部は、前記センサの前記ホール素子が出力する前記パルス信号に基づいて、前記内燃機関のクランクの位相を検出する
ことを特徴とする請求項８に記載の駆動制御システム。
【請求項１０】
前記制御部は、前記センサの前記ホール素子が出力する前記パルス信号に基づいて、前記モータが回転している方向を特定する
ことを特徴とする請求項１に記載の駆動制御システム。
【請求項１１】
前記ホール素子は、前記モータの前記回転子の外周に回転方向に沿って複数個設けられていることを特徴とする請求項１に記載の駆動制御システム。
【請求項１２】
前記駆動制御システムは、二輪車に積載され、前記モータは前記二輪車の内燃機関に接続され、前記制御部は、前記ドライバ回路により前記モータを駆動することにより、前記内燃機関を駆動する
ことを特徴とする請求項９に記載の駆動制御システム。
【請求項１３】
前記モータの前記回転子における、最小の幅の第１の極性の磁極の位置は、内燃機関の上死点のクランク角に対応していることを特徴とする請求項９に記載の駆動制御システム。
【請求項１４】
前記ホール素子は、前記回転子の前記外周と対向する位置に設けられていることを特徴とする請求項１に記載の駆動制御システム。
【請求項１５】
モータと、前記モータの回転子の外周に回転方向に沿って設けられ、前記モータの回転方向に第１の極性の磁極と第２の極性の磁極とが交互に複数個配置されて構成された検出用磁石と、前記モータの固定子に設けられ、前記検出用磁石の第１の極性の磁石の磁束を検出すると第１のレベルのパルス信号を出力するとともに前記検出用磁石の第２の極性の磁極の磁束を検出すると第２のレベルのパルス信号を出力するホール素子と、を含むセンサと、前記モータの動作を制御するドライバ回路と、制御部と、を備えた駆動制御システムの制御方法であって、
前記制御部により、前記センサの前記ホール素子が出力する前記パルス信号に基づいて、前記モータの位相を検出するとともに、前記ドライバ回路を制御して前記モータを駆動すること、を備え、
前記モータの前記回転方向における前記センサの複数の前記第１の極性の磁極の幅は、前記モータの前記回転方向に異なって設定されており、  
前記モータの前記回転方向における前記センサの複数の前記第２の極性の磁極の幅は、同じになるように設定されており、
前記モータの前記回転方向における前記センサの複数の前記第１の極性の磁極の幅は、前記モータの前記回転方向に１回転する順番に、大きくなるように異なって設定され若しくは小さくなるように異なって設定されており、
前記モータの前記回転方向において連続する２つの前記第１の極性の磁極の幅の差が、前記モータの前記回転方向に１回転する範囲において、一定の大きさになるように設定されている
ことを特徴とする駆動制御システムの制御方法。
【請求項１６】
モータであって、
回転子と、
固定子と、を備え、
センサの検出用磁石が、前記モータの前記回転子の外周に回転方向に沿って設けられ、前記モータの回転方向に第１の極性の磁極と第２の極性の磁極とが交互に複数個配置されて構成され、
前記センサのホール素子が、前記モータの前記固定子に設けられ、
前記ホール素子は、前記検出用磁石の第１の極性の磁石の磁束を検出すると第１のレベルのパルス信号を出力するとともに前記検出用磁石の第２の極性の磁極の磁束を検出すると第２のレベルのパルス信号を出力するものであり
前記モータの前記回転方向における前記センサの複数の前記第１の極性の磁極の幅は、前記モータの前記回転方向に異なって設定されており、  
前記モータの前記回転方向における前記センサの複数の前記第２の極性の磁極の幅は、同じになるように設定されており、
前記モータの前記回転方向における前記センサの複数の前記第１の極性の磁極の幅は、前記モータの前記回転方向に１回転する順番に、大きくなるように異なって設定され若しくは小さくなるように異なって設定されており、
前記モータの前記回転方向において連続する２つの前記第１の極性の磁極の幅の差が、前記モータの前記回転方向に１回転する範囲において、一定の大きさになるように設定されている
ことを特徴とするモータ。
【国際調査報告】
2019150440.tif 000009
2019150440.tif 000010
2019150440.tif 000011
2019150440.tif 000012